(57)【要約】      （修正有）【課題】より利便性に優れたルーペを提供する。【解決手段】ルーペは、レンズ１０と、レンズを保持する保持体２０と、第１の板状部材３１と、第１の板状部材と離間して対向する第２の板状部材３２とを有し、第１の板状部材と第２の板状部材との間に形成される空間にレンズを収容する収容体３０と、を備え、第１、第２の板状部材の少なくとも一方に、板厚方向に貫通する貫通孔３５が形成されている。貫通孔の内周面に滑り止め部を有し、ペットボトルのキャップに被せてルーペを固定することで両手を自由に使うことができる。【選択図】図３
0003224876.tif 000002
【実用新案登録請求の範囲】
【請求項１】
レンズと、
前記レンズを保持する保持体と、
第１の板状部材と、前記第１の板状部材と離間して対向する第２の板状部材とを有し、前記第１の板状部材と前記第２の板状部材との間に形成される空間に前記レンズを収容する収容体と、を備え、
前記第１，第２の板状部材の少なくとも一方に、板厚方向に貫通する貫通孔が形成されてなることを特徴とするルーペ。
【請求項２】
前記貫通孔は、
平面視において、円形状又は略円形状であることを特徴とする請求項１に記載のルーペ。
【請求項３】
前記貫通孔の内周面に滑り止め部を有することを特徴とする請求項１又は請求項２に記載のルーペ。
【請求項４】
前記滑り止め部は、
前記板厚方向に沿って設けられた凹凸が形成されていることを特徴とする請求項３に記載のルーペ。
【請求項５】
前記収容体は、
前記第１の板状部材及び前記第２の板状部材を主面とする筒状体からなり、
前記保持体は、
前記収容体の側面と係合し、前記収容体の長手方向にスライド可能な第１，第２の突出部を有し、
前記保持体を前記収容体に対してスライドさせることで前記レンズが前記収容体から突出又は収容されることを特徴とする請求項１乃至請求項４のいずれかに記載のルーペ。
【請求項６】
前記保持体は、
光源及び前記光源へ電力を供給する電池を収容する電池収容部と有し、
前記収容部内に収容された電池は、前記保持体の少なくとも一部が、前記空間から突出すると前記光源へ電力を供給することを特徴とする請求項１乃至請求項５のいずれかに記載のルーペ。
【考案の詳細な説明】
【技術分野】
【０００１】
本考案は、ルーペに関し、特に携帯可能なルーペに関する。
【背景技術】
【０００２】
従来のルーペには、両眼にそれぞれ対応する２つのレンズが一体に形成された左右一体式の双眼レンズを用いたものが知られている。この双眼ルーペの一つとして、双眼レンズで拡大視する対象物に光を照射するものがある（例えば、特許文献１参照）。
しかしながら、特許文献１に記載されている双眼ルーペは、大きく、また、重量も重いため携帯性が悪いという問題がある。
【０００３】
そこで、携帯可能なルーペが提案されている（例えば、特許文献２参照）。特許文献２に開示されるルーペは、薄型の収納ケースと引出し型のルーペ部からなり、収納ケースは一側面があいた薄い箱型と、上面板とコの字型の外枠と下面板からなる。そして、コの字型の外枠の先端部は、内側にＬ字型としたストッパーを設け、下面板の外面側には、スタンド止め収納穴と折曲げ部を備えたスタンドを設け、スタンドの内側にスタンド止めとスタンド取出し部を設けてなる。ルーペ部は収納ケースの内部にあり、外形を凸型とした内枠の内部にフレネルレンズを設け、凸型の内枠の上部分に引出し取手を設け、両下部外側にＬ字型に出た部分をストッパーとされている。特許文献２に開示されるルーペは、傷がつかず、携帯し易く、紛失しにくい構造で、見る物の上に置いたまま両手が使える便利性があるとしている。
【先行技術文献】
【特許文献】
【０００４】
【特許文献１】特開２００６−１１３３３２号公報
【特許文献２】実開平５−９４８１６号公報
【考案の概要】
【考案が解決しようとする課題】
【０００５】
特許文献１に開示されるルーペは、両手を利用することができるが、携帯性が考慮されていないという問題がある。
特許文献２に開示されるルーペは、携帯性に優れるが、収納ケースの裏面に設けたスタンドの先端部をスタンド止めに引っ掛けて止める構成となっているため、使用時にルーペが非常に不安定となる問題がある。また、印刷物などの見る部分の上に置き、少しずつずらしながら文字、絵などを見る必要があるため、使い勝手が非常に悪いという問題がある。
【０００６】
本考案は、上記課題の解決のためになされたものであり、より利便性に優れたルーペを提供することを目的とする。
【課題を解決するための手段】
【０００７】
上記の課題を解決すべく、本考案に係るルーペは、レンズと、レンズを保持する保持体と、第１の板状部材と、第１の板状部材と離間して対向する第２の板状部材とを有し、第１の板状部材と第２の板状部材との間に形成される空間にレンズを収容する収容体と、を備え、第１，第２の板状部材の少なくとも一方に、板厚方向に貫通する貫通孔が形成されてなる。
【考案の効果】
【０００８】
以上説明したように、本考案によれば、より利便性に優れたルーペを提供することができる。
【図面の簡単な説明】
【０００９】
【図１】実施形態に係るルーペの三面図である（レンズを収容した状態）。
【図２】実施形態に係るルーペの斜視図である（レンズを収容した状態）。
【図３】実施形態に係るルーペの三面図である（レンズを突出した状態）。
【図４】実施形態に係るルーペの斜視図である（レンズを突出した状態）。
【図５】実施形態に係るルーペの利用形態の一例を示す斜視図である。
【図６】図５の破線Ａ−Ａにおける断面図である。
【考案を実施するための形態】
【００１０】
[実施形態]
図１は、実施形態に係るルーペ１の三面図であり、具体的には、レンズ１０（例えば、凸レンズやフレネルレンズなど）を収容した状態（以下、第１の状態ともいう）のルーペ１の三面図である。図１（ａ）は、ルーペ１の表側の平面図、図１（ｂ）は、ルーペ１の側面図、図１（ｃ）は、ルーペ１の裏側の平面図である。図２は、実施形態に係るルーペ１の斜視図であり、具体的には、レンズ１０を収容した状態（第１の状態）のルーペ１の斜視図である。図２（ａ）は、ルーペ１の表側の斜視図、図２（ｂ）は、ルーペ１の裏側の斜視図である。
【００１１】
図３は、実施形態に係るルーペ１の三面図であり、具体的には、レンズ１０を突出した状態（以下、第２の状態ともいう）のルーペ１の三面図である。図３（ａ）は、ルーペ１の表側の平面図、図３（ｂ）は、ルーペ１の側面図、図３（ｃ）は、ルーペ１の裏側の平面図である。図４は、実施形態に係るルーペ１の斜視図であり、具体的には、レンズ１０を突出した状態（第２の状態）のルーペ１の斜視図である。図４（ａ）は、ルーペ１の表側の斜視図、図４（ｂ）は、ルーペ１の裏側の斜視図である。
【００１２】
図１〜図４に示すように、ルーペ１は、レンズ１０と、レンズ１０を保持する保持体２０と、レンズ１０を収容する収容体３０とを備えている。収容体３０は、第１の板状部材３１と、第１の板状部材３１から離間して対向する第２の板状部材３２とを有する。レンズ１０は、第１の板状部材３１と第２の板状部材３２との間に形成される空間Ｓ（図６参照）に収容される。
【００１３】
第２の板状部材３２には、板厚方向に貫通する貫通孔３５が形成されている。この貫通孔３５は、平面視において、円形状又は略円形状となっており、その内径はペットボトルのキャップ（蓋）の外形と略同じ長さとなっている。このように、貫通孔３５の形状が、ペットボトルのキャップにはまりやすい形状となっているため、ルーペ１をしっかりと固定することができる。また、第１，第２の板状部材３１，３２の少なくとも一方に形成された貫通孔３５をペットボトルのキャップに被せるように嵌めることにより、ルーペ１を手で保持する必要がなく両手を自由に使うことが可能となる。
【００１４】
また、ルーペ１の貫通孔３５は、内周面３５Ｓに滑り止め部３５ＡＳを有する。貫通孔３５の内周面３５Ｓに設けられた滑り止め部３５ＡＳは、板厚方向に沿って設けられた複数の凹凸３５Ａが形成されている。このように、貫通孔３５の内周面３５Ｓには、複数の凹凸３５Ａが形成された滑り止め部３５ＡＳが設けられているので、ルーペ１をペットボトル４０のキャップ４２にしっかりと係止することができるだけでなく、ペットボトル４０のキャップ４２が固く締められている場合には、ペットボトル４０のキャップ４２を緩める道具としても利用することができる。
【００１５】
また、本実施形態に係るルーペ１の収容体３０は、第１の板状部材３１及び第２の板状部材３２を主面とする筒状体で構成されている。保持体２０は、収容体３０の側面３３，３４と係合し、収容体３０の長手方向にスライド可能な第１，第２の突出部２１，２２を有しており、保持体２０を収容体３０に対してスライドさせることでレンズ１０が収容体３０から突出（第２の状態）又は収容（第１の状態）される。つまり、保持体２０を収容体３０に対してスライドさせるだけ（ワンアクション）で、レンズ１０が収容体３０から突出又は収容される。
【００１６】
さらに、本実施形態に係るルーペ１の保持体２０は、ＬＥＤ２３（光源）を有する。また、保持体２０には、ＬＥＤ２３へ電力を供給する電池Ｂ（例えば、ボタン型電池など）（図６参照）を収容するための電池収容部２４（図６参照）が設けられている。電池収容部２４内に電池Ｂを収容した後に、電池収容部２４を蓋２４Ｓで閉めることで電池Ｂが電池収容部２４内に固定される（蓋２４Ｓは、１０円等の硬貨で開閉することができるように溝２４Ｇが形成されている）。
【００１７】
電池Ｂは、保持体２０の少なくとも一部が収容体３０内の空間Ｓから突出するとＬＥＤ２３へ電力を供給する。具体的には、ルーペ１の保持体２０には、レンズ１０が突出した状態（第２の状態）となると、収容体３０と当接して押し下げられることによりＯＮとなり、レンズ１０が収容された状態（第１の状態）となると、収容体３０との当接が解除されてＯＦＦとなるスイッチ（不図示）が設けられている。このため、保持体２０を収容体３０に対してスライドさせてレンズ１０を収容体３０から突出させるとＬＥＤ２３が点灯し、保持体２０を収容体３０に対してスライドさせてレンズ１０を収容体３０に収容するとＬＥＤ２３が消灯する。このように、ルーペ１のレンズ１０により拡大視される領域を明るくすることができるのでレンズ１０による拡大表示の対象物をより見やすくなる。
【００１８】
また、ルーペ１の収容体３０の一端部には、ストラップ（提げ紐）を止めるためのフックＦが設けられている。このフックＦにストラップを通してストラップに繋ぐことでルーペ１の落下や置忘れ等を防止することができる。
【００１９】
図５は、実施形態に係るルーペ１の利用形態の一例を示す斜視図である。また、図６は、図５の破線Ａ−Ａにおける断面図である。以下、図５及び図６を参照してルーペ１の利用形態の一例について説明する。
【００２０】
図５及び図６に示すように、ルーペ１の収容体３０の第２の板状部材３２には、板厚方向に貫通する貫通孔３５が形成されている。そして、レンズ１０を収容体３０から突出した状態（第２の状態）とすることで、図６の断面図に示すように、ルーペ１の貫通孔３５をペットボトル４０のキャップ４２に被せるように嵌めることにより、ルーペ１を手で保持する必要がなく両手を自由に使うことが可能となる。
【００２１】
なお、上記実施形態では、第２の板状部材３２に板厚方向に貫通する貫通孔３５が形成されているが、第１，第２の板状部材３１，３２の少なくとも一方に板厚方向に貫通する貫通孔３５が形成されていればよい。この場合、第１，第２の板状部材３１，３２の少なくとも一方に形成された貫通孔３５をペットボトル４０のキャップ４２（蓋）に被せるように嵌めることにより、ルーペ１を手で保持する必要がなく両手を自由に使うことができる。
【００２２】
また、図５及び図６に示す状態（第２の状態）では、レンズ１０が突出しているため、収容体３０の空間Ｓにペットボトル４０のキャップ４２が入ることできる。このため、ルーペ１をペットボトル４０のキャップ４２にしっかりと嵌めることができる。そして、ルーペ１をペットボトル４０のキャップ４２を軸として回転動作させることで、ペットボトル４０のキャップ４２を緩めることができ、キャップ４２が固く締められている場合でも簡単にあけることができる。このように、ルーペ１の主要な使用者である年配者にとって利用し易い構成となっている。
【００２３】
以上のように、本実施形態に係るルーペ１は、レンズ１０と、レンズ１０を保持する保持体２０と、第１の板状部材３１と、第１の板状部材３１と離間して対向する第２の板状部材３２とを有し、第１の板状部材３１と第２の板状部材３２との間に形成される空間Ｓにレンズ１０を収容する収容体３０とを備えている。そして、第１，第２の板状部材３１，３２の少なくとも一方に、板厚方向に貫通する貫通孔３５が形成されてなる。
このため、第１，第２の板状部材３１，３２の少なくとも一方に形成された貫通孔３５をペットボトル４０のキャップ４２（蓋）に被せるように嵌めることにより、ルーペ１を手で保持する必要がなく両手を自由に使うことができ、利便性が向上する。
【００２４】
また、本実施形態に係るルーペ１の貫通孔３５は、平面視において、円形状又は略円形状である。
このように貫通孔３５の形状が、ペットボトル４０のキャップ４２（蓋）にはまりやすいよう形状となっているため、ルーペ１をしっかりと固定することができ、利便性が向上する。
【００２５】
また、本実施形態に係るルーペ１の貫通孔３５は、内周面３５Ｓに滑り止め部３５ＡＳを有する。
このため、ルーペ１をペットボトル４０のキャップ４２にしっかりと係止することができるだけでなく、ペットボトル４０のキャップ４２が固く締められている場合には、ペットボトル４０のキャップ４２を緩める道具としても利用することができ、利便性が向上する。
【００２６】
また、本実施形態に係るルーペ１の滑り止め部３５ＡＳは、板厚方向に沿って設けられた凹凸３５Ａが形成されている。
このため、新たな部材を使用することがなく、貫通孔３５の内周面３５Ｓに滑り止め部３５ＡＳを設けることができる。また、凹凸３５Ａは、板厚方向（ペットボトル４０のキャップ４２を緩める際のルーペ１の回転方向とは垂直又は略垂直な方向）に沿って設けられているので、ペットボトル４０のキャップ４２を緩める際の滑り止めとして有効に機能する。
【００２７】
また、本実施形態に係るルーペ１の収容体３０は、第１の板状部材３１及び第２の板状部材３２を主面とする筒状体からなり、保持体２０は、収容体３０の側面３３，３４と係合し、収容体３０の長手方向にスライド可能な第１，第２の突出部２１，２２を有する。そして、保持体２０を収容体３０に対してスライドさせることでレンズ１０が収容体３０から突出又は収容される。
このように、保持体２０を収容体３０に対してスライドさせるだけ（ワンアクション）で、レンズ１０が収容体３０から突出又は収容されるので利便性に優れる。
【００２８】
また、本実施形態に係るルーペ１の保持体２０は、ＬＥＤ２３（光源）及びＬＥＤ２３へ電力を供給する電池Ｂを収容する電池収容部２４と有している。そして、電池収容部２４内に収容された電池Ｂは、保持体２０の少なくとも一部が収容体３０内の空間Ｓから突出するとＬＥＤ２３へ電力を供給する。
このように、ルーペ１のレンズ１０により拡大視される領域を明るくすることができるので、対象物をより見やすくなり、利便性が向上する。
【符号の説明】
【００２９】
１  ルーペ
１０  レンズ
２０  保持体
２１  第１の突出部
２２  第２の突出部
２３  ＬＥＤ（光源）
２４  電池収容部
２４Ｓ  蓋
２４Ｇ  溝
３０  収容体
３１  第１の板状部材
３２  第２の板状部材
３３  第１の側面
３４  第２の側面
３５  貫通孔
３５Ａ  凹凸
３５ＡＳ  滑り止め部
３５Ｓ  内周面
４０  ペットボトル
４１  ペットボトル本体
４２  キャップ（蓋）
Ｂ  電池（ボタン型電池）
Ｆ  フック
Ｓ  空間
【図１】
0003224876.tif 000003
【図２】
0003224876.tif 000004
【図３】
0003224876.tif 000005
【図４】
0003224876.tif 000006
【図５】
0003224876.tif 000007
【図６】
0003224876.tif 000008